(57)【特許請求の範囲】
【請求項１】
隣接する遊技機の間に配置される台間サンドであり、
前記遊技機の間の上下に取り付けられる取付け具と、
前記上下の取付け具の間に挿入されて前記遊技機間に配置される枠体と、
前記枠体が、前記取付け具の上下端面において、該枠体の挿入方向に延在する前記取付け具の切欠きが、樹脂製フレームの凸条に挿入される、台間サンドにおいて、
前記取付け具において切欠きが設けられた前端部と後端部において、前記凸条が、前記枠体の前後方向に延在する前記取付け具の前記前端部と前記後端部にそれぞれ設けられた切欠きに挿入され、
前記凸条は前記前端部から前記後端部に向かうにつれ幅狭となっており、
前記枠体の樹脂製フレームに前後方向に延在する前記凸条が、前記取付け具の前記切欠きに挿入されるとき、前記取付け具は、前記凸条の幅に対応して、前記切欠きが前記樹脂製フレームの前端側に位置するとき、前記切欠きは幅広Ｗの切欠きを呈し、
また、前記切欠きは前記樹脂製フレームの後端側に位置するときは、幅狭ｗの切欠きを呈し、
前記枠体の前記凸条を前記取付け具の切欠きに挿入され、前記凸条が前記切欠き内で位置決めされ、その後の前記枠体の挿入・移動を容易にされる、ことを特徴とする台間サンド。
【請求項２】
前記枠体に収納され、前記枠体に対して前記遊技機の前方にスライドされる第１仕  切りボードと、
前記枠体に収納され、前記第１仕切りボードに対して前記遊技機の前方にスライドされる第２仕切りボードと、を備え、
前記第１仕切りボードが、その上下端部において、前記枠体に対してスライドされる第１レールにリベットを有する固定具によって固定されている、
ことを特徴とする請求項１に記載の台間サンド。
【請求項３】
前記第１仕切りボードが、その上下端部において、前記第１レールに取付けられたガタ防止樹脂バネに挟着されている、ことを特徴とする請求項１ないし請求項２のいずれか１項に記載の台間サンド。
【請求項４】
前記第２仕切りボードが、その上下端部において、前記第１レールに対してスライドされる第２レールに取り付けられ、
前記第２レールが前記第１レールに取り付けられた前記リベットとの干渉を回避する隙間部を有する、
請求項１ないし請求項３のいずれか１項に記載の台間サンド。
【発明の詳細な説明】
【技術分野】
【０００１】
本発明は台間サンドに関し、特に、隣接する遊技機間に配置される台間サンドに関する。
【背景技術】
【０００２】
このような台間サンドとしては、たとえば下記特許文献１に開示がなされている。特許文献１に示すように、台間サンドは、遊技機間に配置される薄型の箱状の枠体を備え、この枠体には仕切りボード、情報案内ユニット、及び飲物等載置ユニット等が収納されている。遊技者は、該枠体から遊技機の前方側へ該仕切りボード、情報案内板、及び飲物等載置台等を引き出すことができ、それらを遊技の際に利用することができるようになっている。ここで、仕切りボードは、隣の遊技者から隔絶された空間を形成でき、煙草の煙の侵入を阻止できる効果を奏するようになっている。
【０００３】
しかし、上述した台間サンドは、遊技機間に配置させる場合において、遊技機間の隙間にばらつき等があり、十分な固定ができず、ガタつきが生じていた。これにより、出入り等する人による仕切りボードの干渉によって破損が生じ易いという不都合が生じていた。
【先行技術文献】
【特許文献】
【０００４】
【特許文献１】特開２０１３−１７６５５４号公報
【発明の概要】
【発明が解決しようとする課題】
【０００５】
本発明は、このような事情に鑑みてなされたものであり、その目的は、隣接する遊技機間にガタつきなく信頼性ある取付けができ、これにより、干渉による破損を回避した台間サンドを提供することにある。
【課題を解決するための手段】
【０００６】
本発明は、以下の構成によって把握される。
本発明の台間サンドは、  隣接する遊技機の間に配置される台間サンドであり、
前記遊技機の間の上下に取り付けられる取付け具と、
前記上下の取付け具の間に挿入されて前記遊技機間に配置される枠体と、
前記枠体が、前記取付け具の上下端面において、該枠体の挿入方向に延在する前記取付け具の切欠きが、樹脂製フレームの凸条に挿入される、台間サンドにおいて、
前記取付け具において切欠きが設けられた前端部と後端部において、前記凸条が、前記枠体の前後方向に延在する前記取付け具の前記前端部と前記後端部にそれぞれ設けられた切欠きに挿入され、
前記凸条は前記前端部から前記後端部に向かうにつれ幅狭となっており、
前記枠体の樹脂製フレームに前後方向に延在する前記凸条が、前記取付け具の前記切欠きに挿入されるとき、前記取付け具は、前記凸条の幅に対応して、前記切欠きが前記樹脂製フレームの前端側に位置するとき、前記切欠きは幅広Ｗの切欠きを呈し、
また、前記切欠きは前記樹脂製フレームの後端側に位置するときは、幅狭ｗの切欠きを呈し、
前記枠体の前記凸条を前記取付け具の切欠きに挿入され、前記凸条が前記切欠き内で位置決めされ、その後の前記枠体の挿入・移動を容易にされる、ことを特徴とする台間サンド。
【０００７】
本発明の台間サンドは、前記枠体に収納され、前記枠体に対して前記遊技機の前方にスライドされる第１仕切りボードと、
前記枠体に収納され、前記第１仕切りボードに対して前記遊技機の前方にスライドされる第２仕切りボードと、を備え、
前記第１仕切りボードが、その上下端部において、前記枠体に対してスライドされる第１レールにリベットを有する固定具によって固定されている、
ことを特徴とする。
【０００８】
本発明の台間サンドは、前記第１仕切りボードが、その上下端部において、前記第１レールに取付けられたガタ防止樹脂バネに挟着されている、ことを特徴とする。
【０００９】
本発明の台間サンドは、前記第２仕切りボードが、その上下端部において、前記第１レールに対してスライドされる第２レールに取り付けられ、
前記第２レールが前記第１レールに取り付けられた前記リベットとの干渉を回避する隙間部を有する、ことを特徴とする。
【発明の効果】
【００１０】
このような構成からなる台間サンドによれば、隣接する遊技機間にガタつきなく信頼性ある取付けを行うことができ、これにより、干渉による破損を回避することができる。
【図面の簡単な説明】
【００１１】
【図１】本発明の台間サンドの実施形態1を示す分解斜視図である。
【図２】本発明の台間サンドの上端部を示す斜視図である。
【図３】本発明の台間サンドを取り付ける取付け具の斜視図である。
【図４】本発明の台間サンドの下端部を示す斜視図である。
【図５】本発明の台間サンドの上端部を示す上面図である。
【図６】本発明の台間サンドの第１仕切りボードが取り付けられる第１レールの構成図で、（ａ）は側面図、（ｂ）は（ａ）のｂ−ｂ線における断面図である。
【図７】（ａ）は第１レールを上方から観た斜視図、（ｂ）は下方から観た斜視図である。
【図８】図１の点線枠Ａの拡大図である。
【図９】本発明の台間サンドの斜視図（仕切りボードを収納した状態）である。
【図１０】本発明の台間サンドの斜視図（仕切りボードを引き出した状態）である。
【図１１】（ａ）、（ｂ）は本発明の台間サンドの実施形態２を示す要部構成図である。
【発明を実施するための形態】
【００１２】
以下、添付図面を参照して、本発明を実施するための形態（以下、実施形態）について詳細に説明する。なお、実施形態の説明の全体を通して同じ要素には同じ番号を付している。
【００１３】
(実施形態１)
図１は、本発明の台間サンドの実施形態１を示す分解斜視図である。なお、説明の便宜上、図中ｘ方向を幅方向、図中ｙ方向を前後方向、図中方向ｚを上下方向と称する。まず、図１において、台間サンド１０は、まず、隣接する遊技機（図示せず）の間に配置される枠体２０を有する。枠体２０は遊技機の間の上下に予め取り付けられる取付け具３０の間に挿入されることによって遊技機間に配置されるようになっている。
【００１４】
枠体２０は、薄型の箱状からなり、その長手方向が上下方向、短手方向が前後方向となるように配置されようになっている。枠体２０は、上下方向（垂直方向）に延在する一対の金属製フレーム２１と前後方向（水平方向）に延在する一対の樹脂製フレーム２２とが矩形状に組み合わされて構成されている。これにより、薄型にも拘わらず安価で機械的強度の強い枠体２０を構成することができるようになっている。枠体２０の前方に配置される金属製フレーム２１には、枠体２０に収納される第１仕切りボード４０および第２仕切りボード５０を前方に引き出すための開口２１Ａが形成されている。枠体２０には、上述の第１仕切りボード４０および第２仕切りボード５０の他に、たとえば情報案内ユニット２５及び飲物等載置ユニット２６等も収納され、金属製フレーム２１に形成された他の開口２１Ｂから情報案内ユニット２５内の情報案内板（図示せず）及び飲物等載置ユニット２６内の飲物等載置台（図示せず）を前方に引き出すことができるようになっている。
【００１５】
枠体２０の上側に配置される樹脂製フレーム２２は、図２に示すように、上端面において、そのほぼ中央に前後方向（枠体２０の挿入方向）に延在する溝２２Ａが形成されている。なお、図２は、図１と反対側から観た図となっている。また、図２に示すように、樹脂製フレーム２２の溝２２Ａを有する面には、遊技機の間に取り付けられ、枠体２０の前後方向において枠体２０よりも小さな長さを有する取付け具３０と対向するようになっている。取付け具３０は、図３に示すように、その前後方向（枠体２０の挿入方向）の前後の各端部（各端辺）に下方へ屈曲する突起３０Ａを有し、これら突起３０Ａが溝２２Ａに挿入されるようになっている。なお、取付け具３０において、突起３０Ａは必ずしも前後部（各端辺）のそれぞれに設ける必要はなく、少なくとも後端部に設けられるようにしてもよい。取付け具３０の前端部はネジ止めされるため前端部の突起３０Ａを必要としない場合があるからである。
【００１６】
また、同様に、枠体２０の下側に配置される樹脂製フレーム２２も、図４に示すように、下端面のほぼ中央に前後方向に延在する溝２２Ａが形成されている。図３と同様の構成からなる取付け具３０が樹脂製フレーム２２の溝２２Ａを有する面に対向して配置され、取付け具３０に形成された突起３０Ａは溝２２Ａに挿入されるようになっている。このような構成によって、枠体２０は取付け具３０との間にガイドされて信頼性よく挿入でき、挿入後において、取付け具３０に対する枠体２０のガタの発生を回避することができるようになる。また、樹脂製フレーム２２の溝２２Ａは、図５に示す上面図のように、前後方向の後部において、後端に向かうにつれ幅広となる（幅ｗから幅Ｗ（＞ｗ）へ）ように形成されている。このような構成によって、枠体２０を取付け具３０の間に挿入するときに取付け具３０の突起３０Ａを樹脂製フレーム２２の溝２２Ａ内に容易に位置づけることができ、その後の枠体２０の挿入がやり易くなっている。
【００１７】
第１仕切りボード４０は、矩形状の薄板材からなり、たとえば透明の合成樹脂によって形成されている。第１仕切りボード４０の上下端部には、それぞれ、たとえば金属製からなる第１レール４１が取り付けられている。第１仕切りボード４０の第１レール４１は、それぞれ、各樹脂製フレーム２２に形成された溝（図示せず）に勘合され、該溝内を前後方向にガイドされてスライドできるようになっている。これにより、第１仕切りボード４０は、枠体２０内に収納できるとともに、必要に応じて前方に引き出すことができるようになっている。
【００１８】
図６（ａ）は、第１仕切りボード４０が第１レール４１に固定されている状態を示す側面図である。図６（ａ）は図１と同方向から観た図で第１レール４１は第１仕切りボード４０の上方に固定されるものを示している。また、第１レール４１は、図７（ａ）において、上方から観た斜視図を示し、図７（ｂ）において、下方から観た斜視図を示している。第1仕切りボード４０は、図７（ｂ）に示すように、第１レール４１に形成される延在辺４１Ａとこの延在辺４１Ａと平行に取り付けられるガタ防止樹脂バネ４１Ｂとの間の隙間４１Ｓに挿入されるようになっている。ガタ防止樹脂バネ４１Ｂは、弾性を有する樹脂材からなり、該隙間４１Ｓに挿入される第1仕切りボード４０の上端辺を樹脂材の弾性によって強固に挟持し、第1仕切りボード４０の第１レール４１に対すガタの発生を防止できるようになっている。また、ガタ防止樹脂バネ４１Ｂの枠体２０側の端部には、第１レール４１と第1仕切りボード４０との固定を図る固定具が挿入されるたとえば２個の孔４２が並設されて形成されている。固定具はたとえば後方の孔４２においてネジが挿入され、前方の孔４２においてリベットが挿入されるようになっている。
【００１９】
図６（ｂ）は、図６（ａ）のｂ−ｂ線における断面図である。図６（ｂ）に示すように、第１レール４１の延在辺４１Ａとガタ防止樹脂バネ４１Ｂとの間に第1仕切りボード４０が挟持され、第1仕切りボード４０はリベット４５によってガタ防止樹脂バネ４１Ｂに固定されている。この場合、リベット４５の先端（図中Ｐで示す）は、後述の第２レール５１がスライド可能に勘合される溝４１Ｃの内壁面から突出され、第２レール５１の円滑なスライドを妨げるようになるが、その不都合を第１レール４１に形成した後述の隙間部（図８において符号５１Ａで示す）によって回避するようになっている。また、第1仕切りボード４０の下方に固定される第１レール４１も上述したと同様の構成となっている。
【００２０】
図１に戻り、第２仕切りボード５０は、前端部が曲線形状となる薄板材からなり、たとえば透明の合成樹脂によって形成されている。第２仕切りボード５０の上下端部には、それぞれ、たとえば金属製からなる第２レール５１が取り付けられている。第２レール５１は、それぞれ、第1仕切りボード４０の第１レール４１に形成された溝４１Ｃ（図６（ｂ）参照）に嵌合され、該溝内を前後方向にガイドされてスライドできるようになっている。第1仕切りボード４０の第１レール４１の溝は、幅方向の一方の側に形成され、第２仕切りボード５０の第２レール５１は該一方の側に配置されるようになっている。すなわち、第１レール４１と第２レール５１は幅方向に並設されて配置され、第２レール５１に取り付けられる第２仕切りボード５０は、第１レール４１に取り付けられる第１仕切りボード４０とともに、幅方向に並設させて枠体２０内に収納できるようになっている。
【００２１】
ここで、第1仕切りボード４０の第１レール４１にはリベット４５（図６（ｂ）参照）が取り付けられていることを上述したが、このリベット４５の先端は第１レール４１の溝４１Ｃ(第２レール５１がスライド可能に勘合される溝)の内壁面から突出していることに鑑み、図１の点線枠Ａの拡大図である図８に示すように、第２レール５１には隙間部５１Ａを形成するための壁部材５１Ｂが形成され、該隙間部５１Ａによってリベット４５との干渉を回避できるようになっている。
【００２２】
図９は、枠体２０に第１仕切りボード４０及び第２仕切りボード５０を収納させた場合の斜視図である。なお、図９は、図１と反対側から観た図として示している。第２仕切りボード５０は、前後方向の長さが第１仕切りボード４０の前後方向の長さよりも大きく形成されている。このため、第１仕切りボード４０の全部が枠体２０に収納されるのに対し、第２仕切りボード５０は、その前方部が枠体２０から突出して収納されるようになっている。そして、図１０は、枠体２０から第２仕切りボード５０及び第１仕切りボード４０を引き出した場合の斜視図である。この場合、第２レール５１が第１レール４１に対して適当量に引き出された際に、第１レール４１に対する第２レール５１のスライドを停止させるストッパ（図示せず）が形成され、第１レール４１が枠体２０に対して適当量に引き出された際に、枠体２０に対する第１レール４１のスライドを停止させるストッパ（図示せず）が形成されている。このため、第２仕切りボード５０のみを引き出すことによって第１仕切りボード４０も追随して引き出されるようになっている。
【００２３】
以上説明したことから明らかとなるように、本発明による台間サンドによれば、隣接する遊技機間にガタつきなく信頼性ある取付けができるようになる。
【００２４】
上述した実施形態では、ガタ防止樹脂バネ４１Ｂを第１レール４１に取り付けた場合を示したものである。しかし、これに限定されることはなく、第２レール５１にも取り付けるようにしてもよいことはいうまでもない。
【００２５】
(実施形態２)
本発明の実施形態１では、枠体２０の樹脂製フレーム２２に溝２２Ａを、取付け具３０に該溝２２Ａに嵌合する突起３０Ａを形成するようにしたものである。しかし、これに限定されることはなく、図１１（ａ）に示すように、枠体２０の樹脂製フレーム２２に前後方向に延在する凸条２２Ｂを、取付け具３０に該凸条２２Ｂに挿入される切欠き３０Ｂを形成するようにしてもよいことはもちろんである。実施形態１の場合と同様の効果が得られるからである。図１１（ａ）に示すように、凸条２２Ｂは、その後部において、後端に向かうにつれ幅狭（幅Ｗから幅ｗ（＜Ｗ）へ）となっている。また、取付け具３０は、その裏面を示す図１１（ｂ）に示すように、前記凸条２２Ｂの幅の変化に合わせて前端側には幅Ｗ’の切欠き３０Ｂを、後端側には幅ｗ’（＜Ｗ’）の切欠き３０Ｂを有するようになっている。このような構成によって、枠体２０を取付け具３０の間に挿入するときに枠体２０の凸条２２Ｂを樹脂製フレーム２２の切欠き３０Ｂ内に容易に位置づけることができ、その後の枠体２０の挿入がやり易くなる効果を奏する。なお、この場合、取付け具３０において、切欠き３０Ｂは必ずしも前後部（各端辺）のそれぞれに設ける必要はなく、少なくとも後端部に設けられるようにしてもよいことは実施形態１の場合と同様である。
【００２６】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。また、その様な変更または改良を加えた形態も本発明の技術的範囲に含まれ得ることが、特許請求の範囲の記載から明らかである。
【符号の説明】
【００２７】
１０              台間サンド
２０              枠体
２１              金属製フレーム
２１Ａ            開口
２１Ｂ            開口
２２              樹脂製フレーム
２２Ａ            溝
２２Ｂ            凸条
２５              情報案内ユニット
２６              飲物等載置ユニット
３０              取付け具
３０Ａ            突起
３０Ｂ            切欠き
４０              第1仕切りボード
４１              第１レール
４１Ａ            延在辺
４１Ｂ            ガタ防止樹脂バネ
４１Ｃ            溝
４１Ｓ            隙間
４２              孔
４５              リベット
５０              第２仕切りボード
５１              第２レール
５１Ａ            隙間部
５１Ｂ            壁部材
【図１】
0006508762.tif 000002
【図２】
0006508762.tif 000003
【図３】
0006508762.tif 000004
【図４】
0006508762.tif 000005
【図５】
0006508762.tif 000006
【図６】
0006508762.tif 000007
【図７】
0006508762.tif 000008
【図８】
0006508762.tif 000009
【図９】
0006508762.tif 000010
【図１０】
0006508762.tif 000011
【図１１】
0006508762.tif 000012